(57)【要約】【課題】指針が示す時計の状態を容易に認識することができる。【解決手段】自装置の状態を検出する制御回路２０２と、制御回路２０２により検出される状態に応じて移動する秒針２０８２を有する表示部２０８とを備える電子時計２０と、表示部２０８を撮像し撮像結果を出力する撮像部１０４と、撮像結果から秒針２０８２が示す電子時計２０の状態を解析する解析部１０２１と、解析部１０２１が解析した電子時計２０の状態を表示する表示部１０５とを備える電子機器１０とを含む通信システム１。【選択図】図１
2016050892.tif 000002
【特許請求の範囲】
【請求項１】
自装置の状態を検出する検出部と、前記検出部により検出される状態に応じて移動する指針を有する時計表示部とを備える時計と、
前記時計表示部を撮像し撮像結果を出力する撮像部と、前記撮像結果から前記指針が示す前記時計の状態を解析する解析部と、前記解析部が解析した前記時計の状態を表示する表示部とを備える電子機器と、
を含むことを特徴とする通信システム。
【請求項２】
前記電子機器は、前記指針が前記時計の状態に応じて移動するよう前記時計に対して指示する指示信号を送信する送信部を備え、
前記時計は、前記電子機器から前記指示信号を受信する受信部を備え、
前記指針は、前記受信部が前記指示信号を受信すると前記時計の状態に応じて移動する
ことを特徴とする請求項１に記載の通信システム。
【請求項３】
前記電子機器は、前記指針の通常運針とは異なる変則運針を規定する変則運針データを送信する送信部を備え、
前記時計は、前記電子機器から前記変則運針データを受信する受信部と、前記受信部が受信した前記変則運針データを記憶する記憶部とを備え、
前記指針は、前記記憶部が記憶する前記変則運針データに基づいて前記時計の状態を示す
ことを特徴とする請求項１または２に記載の通信システム。
【請求項４】
前記解析部は、前記時計の状態に応じて移動する指針の運針状態と前記撮像結果との対応関係を予め記憶する
ことを特徴とする請求項１から３のいずれか１項に記載の通信システム。
【請求項５】
前記検出部は、前記時計の状態として電池残量を検出する
ことを特徴とする請求項１から４のいずれか１項に記載の通信システム。
【請求項６】
前記検出部は、前記時計の状態として前記指針を駆動するための駆動パルスが所定値以上であるか否かを検出する
ことを特徴とする請求項１から５のいずれか１項に記載の通信システム。
【請求項７】
前記電子機器の前記送信部は、光信号を送信する光源を含み、
前記時計の前記受信部は、前記光信号を受信する太陽電池である
ことを特徴とする請求項２または３に記載の通信システム。
【請求項８】
指針により状態を示す時計の時計表示部を撮像し撮像結果を出力する撮像部と、
前記撮像結果から前記指針が示す前記時計の状態を解析する解析部と、
前記解析部が解析した前記時計の状態を表示する表示部と、
を備える電子機器。
【請求項９】
自装置の状態を検出する検出部と、
前記検出部により検出される状態に応じて移動する指針を有する時計表示部と、
前記指針の通常運針とは異なる変則運針を規定する変則運針データを電子機器から受信する受信部と、
前記受信部が受信した変則運針データを記憶する記憶部と、
を備え、
前記指針は、前記記憶部が記憶する変則運針データに基づいて、前記検出部により検出される前記時計の状態に応じて移動する
ことを特徴とする時計。
【請求項１０】
指針により状態を示す時計の時計表示部を、撮像部に撮像させる撮像ステップと、
前記撮像ステップで撮像した撮像結果から前記指針が示す前記時計の状態を解析する解析ステップと、
前記解析ステップで解析した前記時計の状態を表示する表示ステップと、
をコンピュータに実行させるためのプログラム。
【発明の詳細な説明】
【技術分野】
【０００１】
本発明は、通信システム、電子機器、時計及びプログラムに関する。
【背景技術】
【０００２】
従来より、時計の指針を用いて、電池電圧値の低下や機能異常状態を使用者に告知する時計が知られている（例えば、特許文献１〜３参照）。
【先行技術文献】
【特許文献】
【０００３】
【特許文献１】特開平１１−２５８３６５号公報
【特許文献２】特開２００３−４８７３号公報
【特許文献３】特開２００１−２９６３７６号公報
【発明の概要】
【発明が解決しようとする課題】
【０００４】
しかしながら、特許文献１〜３に記載された技術では、指針が示す意味を使用者が認識していなければならず、告知する内容が多くなると、指針の運針種類も増え使用者が認識できなくなるという問題がある。
【０００５】
そこで、本発明は上述の事情を鑑みてなされたものであり、指針が示す時計の状態を容易に認識することができる通信システム、電子機器、時計及びプログラムを提供することを目的とする。
【課題を解決するための手段】
【０００６】
本発明の幾つかの態様によれば、自装置の状態を検出する検出部と、前記検出部により検出される状態に応じて移動する指針を有する時計表示部とを備える時計と、前記時計表示部を撮像し撮像結果を出力する撮像部と、前記撮像結果から前記指針が示す前記時計の状態を解析する解析部と、前記解析部が解析した前記時計の状態を表示する表示部とを備える電子機器と、を含むことを特徴とする通信システムである。
【０００７】
また、本発明の他の態様の通信システムにおいて、前記電子機器は、前記指針が前記時計の状態に応じて移動するよう前記時計に対して指示する指示信号を送信する送信部を備え、前記時計は、前記電子機器から前記指示信号を受信する受信部を備え、前記指針は、前記受信部が前記指示信号を受信すると前記時計の状態に応じて移動することを特徴とする。
【０００８】
また、本発明の他の態様の通信システムにおいて、前記電子機器は、前記指針の通常運針とは異なる変則運針を規定する変則運針データを送信する送信部を備え、前記時計は、前記電子機器から前記変則運針データを受信する受信部と、前記受信部が受信した前記変則運針データを記憶する記憶部とを備え、前記指針は、前記記憶部が記憶する前記変則運針データに基づいて前記時計の状態を示すことを特徴とする。
【０００９】
また、本発明の他の態様の通信システムにおいて、前記解析部は、前記時計の状態に応じて移動する指針の運針状態と前記撮像結果との対応関係を予め記憶することを特徴とする。
【００１０】
また、本発明の他の態様の通信システムにおいて、前記検出部は、前記時計の状態として電池残量を検出することを特徴とする。
【００１１】
また、本発明の他の態様の通信システムにおいて、前記検出部は、前記時計の状態として前記指針を駆動するための駆動パルスが所定値以上であるか否かを検出することを特徴とする。
【００１２】
また、本発明の他の態様の通信システムにおいて、前記電子機器の前記送信部は、光信号を送信する光源を含み、前記時計の前記受信部は、前記光信号を受信する太陽電池であることを特徴とする。
【００１３】
また、本発明の他の態様は、指針により状態を示す時計の時計表示部を撮像し撮像結果を出力する撮像部と、前記撮像結果から前記指針が示す前記時計の状態を解析する解析部と、前記解析部が解析した前記時計の状態を表示する表示部と、を備える電子機器である。
【００１４】
また、本発明の他の態様は、自装置の状態を検出する検出部と、前記検出部により検出される状態に応じて移動する指針を有する時計表示部と、前記指針の通常運針とは異なる変則運針を規定する変則運針データを電子機器から受信する受信部と、前記受信部が受信した変則運針データを記憶する記憶部と、を備え、前記指針は、前記記憶部が記憶する変則運針データに基づいて、前記検出部により検出される前記時計の状態に応じて移動することを特徴とする時計である。
【００１５】
また、本発明の他の態様は、指針により状態を示す時計の時計表示部を、撮像部に撮像させる撮像ステップと、前記撮像ステップで撮像した撮像結果から前記指針が示す前記時計の状態を解析する解析ステップと、前記解析ステップで解析した前記時計の状態を表示する表示ステップと、をコンピュータに実行させるためのプログラムである。
【発明の効果】
【００１６】
本発明の幾つかの態様によれば、時計は、検出部と時計表示部とを備える。また、電子機器は、撮像部と、解析部と、表示部とを備える。検出部は、自装置の状態を検出する。また、時計表示部は、検出部により検出される状態に応じて移動する指針を有する。また、撮像部は、時計表示部を撮像し撮像結果を出力する。また、解析部は、撮像結果から指針が示す時計の状態を解析する。また、表示部は、解析部が解析した時計の状態を表示する。これにより、指針が示す時計の状態を容易に認識することができる。
【図面の簡単な説明】
【００１７】
【図１】本発明の第１の実施形態による通信システムの構成を示した概略図である。
【図２】第１の本実施形態による電子時計の一動作例を説明するためのタイミングチャートである。
【図３】第１の実施形態による電子機器の表示部が表示する画面の一例を示す概略図である。
【図４】第１の実施形態における電子時計が実行する状態表示処理の処理手順を示したフローチャートである。
【図５】第１の本実施形態による電子機器が実行する状態表示処理の処理手順を示したフローチャートである。
【図６】第２の本実施形態による電子時計の表示部における指針位置の一例を示す図である。
【図７】第２の実施形態による電子機器が実行する状態表示処理の処理手順を示したフローチャートである。
【図８】第２の実施形態による電子時計が実行する状態表示処理の処理手順を示したフローチャートである。
【図９】第２の本実施形態による電子時計の表示部における指針位置の一例を示す図である。
【図１０】第３の実施形態による電子機器が実行する変則運針仕様変更処理の処理手順を示したフローチャートである。
【図１１】第３の実施形態による電子時計が実行する変則運針仕様変更処理の処理手順を示したフローチャートである。
【発明を実施するための形態】
【００１８】
以下、本発明の実施形態について、図面を参照しながら説明する。なお、各図において同一部分には同一符号を付している。
【００１９】
［第１の実施形態］
まず、本発明の第１の実施形態について説明する。図１は、本実施形態による通信システム１の構成を示した概略図である。図示する例では、通信システム１は、電子機器１０と電子時計２０とを含んでいる。電子機器１０は、例えば、スマートフォンや、携帯電話機や、タブレット端末等の電子機器である。図示する例では、電子機器１０は、時刻データ取得部１０１と、制御部１０２と、光源１０３と、撮像部１０４と、表示部１０５と、入力部１０６とを備えている。
【００２０】
時刻データ取得部１０１は、現在日時（現在時刻（時分秒）及び現在日付（年月日））を取得する。例えば、時刻データ取得部１０１は、インターネット上の時刻サーバにアクセスして現在日時を取得する方法や、ＧＰＳ（Ｇｌｏｂａｌ  Ｐｏｓｉｔｉｏｎｉｎｇ  Ｓｙｓｔｅｍ）を用いて現在日時を取得する方法や、基地局からの制御信号から現在日時を取得する方法を用いる。なお、現在日時の取得方法は、どのような方法でもよい。
【００２１】
制御部１０２は、電子機器１０が備える各部の制御を行う。制御部１０２は、解析部１０２１と、表示制御部１０２２とを備えている。解析部１０２１は、撮像部１０４が撮像した電子時計２０の表示部２０８の画像（撮像結果）から秒針２０８２が示す電子時計２０の状態を解析する。具体的には、まず、解析部１０２１は、表示部２０８の画像から、秒針２０８２を抽出する。そして、解析部１０２１は、文字板２０８１に印刷されているマーク（例えば、１〜１２の数字）と、抽出した秒針２０８２との位置関係に基づいて、秒針２０８２が示す電子時計２０の状態を特定する。また、解析部１０２１は、電子時計２０の状態に対応する撮像結果（期待値動画）を予め記憶する。解析部１０２１は、期待値動画と、撮像部１０４が撮像した撮像結果とを比較することにより、電子時計２０の状態を特定する。期待値動画は、通常運針との相違を判別可能な運針パターンである。通常運針とは、通常時における秒針２０８２の動作である。表示制御部１０２２は、解析部１０２１が解析した電子時計２０の状態を表示部１０５に表示する。
【００２２】
光源１０３は、例えば、電子機器１０が有するフラッシュ用のＬＥＤ（Ｌｉｇｈｔ  Ｅｍｉｔｔｉｎｇ  Ｄｉｏｄｅ）や、液晶ディスプレイのバックライト等である。光源１０３は、データを示す光信号を電子時計２０に対して送信する送信部として動作する。撮像部１０４は、被写体（電子時計２０の表示部２０８）を撮像し撮像結果を出力する。表示部１０５は、液晶ディスプレイ（ＬＣＤ、Ｌｉｑｕｉｄ  Ｃｒｙｓｔａｌ  Ｄｉｓｐｌａｙ）等であり、情報を表示する。入力部１０６は、スイッチやタッチパネル等を備え、入力を受け付ける。
【００２３】
電子時計２０は、アナログ表示で時刻を表示する時計である。図示する例では、電子時計２０は、太陽電池２０１と、制御回路２０２と、スイッチ２０３と、二次電池２０４と、ダイオード２０５と、基準信号生成回路２０６と、ステッピングモータ２０７と、表示部２０８（時計表示部）と、記憶部２０９とを備えている。
【００２４】
太陽電池２０１は、充電期間では、光（太陽、照明など）を受光して電気エネルギーに変換する発電部として動作する。また、太陽電池２０１は、通信期間では、電子機器１０と光通信を行い、電子機器１０から光信号を受信する受信部として動作する。充電期間および通信期間については後述する。
【００２５】
制御回路２０２は、電子時計２０が備える各部の制御を行う。また、制御回路２０２は、太陽電池２０１による二次電池２０４への充電制御を行う。また、制御回路２０２は、二次電池２０４の過充電防止制御を行う。また、制御回路２０２は、太陽電池２０１を用いて光通信を行う。例えば、制御回路２０２は、電源端子とＧＮＤ端子に接続された二次電池２０４が出力する電力により作動する。このとき、制御回路２０２は、二次電池２０４の出力電圧を検出することで、二次電池２０４の充電状態（フル充電、過放電など）を判定し、所定の充電制御を行う。例えば、制御回路２０２は、二次電池２０４の充電状態に応じて、制御端子から出力する制御信号によってスイッチ２０３のオン／オフ制御を行う。これにより、制御回路２０２は、太陽電池２０１と二次電池２０４とを接続することで二次電池２０４への充電を行う。また、制御回路２０２は、太陽電池２０１と二次電池２０４とを切断することで、二次電池２０４への過充電を防止する。
【００２６】
また、制御回路２０２は、基準信号生成回路２０６が出力する基準信号に基づいてスイッチ制御信号を出力し、スイッチ２０３のオン／オフ制御を行う。これにより、制御回路２０２は、太陽電池２０１と二次電池２０４の接続と、太陽電池２０１と二次電池２０４の切り離しとを行う。
【００２７】
また、制御回路２０２は、通信期間において、入力端子に入力された太陽電池２０１の出力電圧を検出し、検出した電圧を電気信号に変換することで、外部機器（本実施形態では、電子機器１０）から光通信によって送信されるデータを受信する。
【００２８】
制御回路２０２は、電圧検出部２０２１と、回転検出部２０２２と、指針制御部２０２３とを備えている。電圧検出部２０２１は、二次電池２０４の出力電圧を検出して、二次電池２０４の充電状態（電池残量）を検出する。回転検出部２０２２は、ステッピングモータ２０７を駆動するための駆動パルスを検出して、電子時計２０のメンテナンス時期（指針を駆動するための駆動パルスが所定値以上であるか否か）を検出する。電圧検出部２０２１及び回転検出部２０２２は、自装置の状態を検出する検出部である。指針制御部２０２３は、電圧検出部２０２１または回転検出部２０２２が検出した自装置の状態に基づいて、ステッピングモータ２０７を駆動し、秒針２０８２を動かす。
【００２９】
スイッチ２０３は、制御回路２０２から入力されるスイッチ制御信号に基づいて、太陽電池２０１と二次電池２０４の接続と、太陽電池２０１と二次電池２０４の切り離しとを行う。二次電池２０４は、電子時計２０が備える各部に電力を供給する。ダイオード２０５は、二次電池２０４に対する電流の逆流を防止する。基準信号生成回路２０６は、発振回路（例えば３２ｋＨｚ）と分周回路からなり、例えば１Ｈｚの基準信号を生成する。
【００３０】
ステッピングモータ２０７は、制御回路２０２から入力されるパルス信号に基づいて、秒針２０８２と、長針２０８３と、短針２０８４と、日付部２０８５とを駆動する（回転させる）。
【００３１】
表示部２０８は、文字板２０８１と、秒針２０８２（指針）と、長針２０８３と、短針２０８４と、日付部２０８５とを備えている。表示部２０８は、文字板２０８１と、秒針２０８２と、短針２０８４と、長針２０８３と、日付部２０８５とを用いて、時刻および日時をアナログ表示で表示する。表示部２０８は、正常時には、文字板２０８１と、秒針２０８２と、長針２０８３と、短針２０８４とにより時刻を示し、日付部２０８５により日付を示す。秒針２０８２と、短針２０８４と、長針２０８３とが時刻を示す指針である。また、表示部２０８は、電子時計２０の状態が変化した場合や、異常が発生した場合などには、秒針２０８２により電子時計２０の状態を示す。記憶部２０９は、例えば不揮発性メモリであり、電子時計２０が備える各部が用いるデータを記憶する。
【００３２】
次に、電子機器１０と電子時計２０との間の通信方法について説明する。本実施形態では、電子機器１０は光源１０３を用いてデータを送信する。例えば、電子機器１０は、「１」を送信する際には光源１０３を発光させ、「０」を送信する際には光源１０３を消灯させる。また、電子時計２０は、太陽電池２０１を用いてデータを受信する。例えば、電子時計２０の制御回路２０２は、太陽電池２０１が光を受光して電圧を発生した場合には「１」を受信したと判定し、太陽電池２０１が電圧を発生しない場合には「０」を受信したと判定する。
【００３３】
太陽電池２０１と二次電池２０４とが接続している場合、二次電池２０４の出力電圧により、太陽電池２０１が発生した電圧を正確に判定することができない。そこで、本実施形態では、データの受信時には、太陽電池２０１が発生する電圧をより精度良く検出するために、スイッチ２０３を制御し、太陽電池２０１と二次電池２０４とを切り離す。なお、太陽電池２０１と二次電池２０４とを切り離している期間を「通信期間（ＯＦＦ期間）」とする。
【００３４】
また、通信期間以外の期間では、スイッチ２０３を制御し、太陽電池２０１と二次電池２０４とを接続する。太陽電池２０１と二次電池２０４とを接続している期間を「充電期間（ＯＮ期間）」とする。これにより、受信期間においては、より精度良くデータを受信することができる。
【００３５】
また、通信期間では二次電池２０４を充電しないように設定することもできる。そのため、通信期間は短い方が望ましい。従って、本実施形態では、電子時計２０は、通常時には充電期間とし、一定期間毎に短い通信期間を設ける。そして、電子時計２０は、短い通信期間中に電子機器１０から同期信号を受信した場合、データを受信するまで通信期間を継続する。一方、電子時計２０は、通信期間中に電子機器１０から同期信号を受信しない場合、充電期間とする。
【００３６】
図２（Ａ）は、電子機器１０が電子時計２０に対して送信する同期信号と、スタート信号と、データとの送信タイミングを示したタイミングチャートである。図２（Ｂ）は、電子時計２０の制御回路２０２が出力するスイッチ制御信号の出力タイミングを示したタイミングチャートである。
【００３７】
図２（Ａ）に示す通り、電子機器１０は、データを送信する際には、同期信号を送信する（時刻ｔ３〜時刻ｔ５）。その後、電子機器１０はスタート信号を送信する（時刻ｔ６〜時刻ｔ７）。その後、電子機器１０はデータを送信する（時刻ｔ８〜時刻ｔ９）。
【００３８】
また、図２（Ｂ）に示す通り、電子時計２０は、充電期間に移行してから一定時間経過した後、スイッチ２０３をＯＦＦにし、通信期間に移行する（時刻ｔ１）。また、電子時計２０は、通信期間に移行してから同期信号を受信せず一定時間経過した後、スイッチ２０３をＯＮにし、充電期間に移行する（時刻ｔ２）。また、電子時計２０は、充電期間に移行してから一定時間経過した後、スイッチ２０３をＯＦＦにし、通信期間に移行する（時刻ｔ４）。時刻ｔ４では、電子機器１０から同期信号が送信されているため、電子時計２０は同期信号を受信する。同期信号を受信したことにより、電子時計２０は、データの受信が完了する時刻ｔ９まで通信期間とする。また、電子時計２０は、データの受信が完了した場合、充電期間に移行する（時刻ｔ９）。以降、同様に、電子時計２０は、充電期間と通信期間とを繰り返し、電子機器１０から送信されるデータを受信する。
【００３９】
上述したように、電子時計２０は、充電期間と、充電期間よりも短い通信期間とを繰り返す。また、短い通信期間中に同期信号を受信した場合、データの受信を完了するまで通信期間とする。これにより、電子時計２０は、充電期間をより長くしつつ、より精度良く光信号を受信することができる。
【００４０】
次に、電子時計２０の状態を告知する方法について説明する。電子時計２０は、自装置の状態を検出し、検出した状態を秒針２０８２により示す。本実施形態では、電子時計２０が告知する自装置の状態として、二次電池２０４の電池切れと、メンテナンス時期とを一例として説明する。電池切れは、電池電圧値の低下を示す。また、メンテナンス時期は、電子時計２０の耐久の低下に起因するメンテナンス時期がきたことを示す。電子時計２０は、秒針２０８２を２秒に１回動かすことにより、電子時計２０の電池切れを告知する。また、電子時計２０は、秒針２０８２を３０秒毎に文字板２０８２の１２の位置と６の位置に停止させることにより、電子時計２０がメンテナンス時期であることを告知する。
【００４１】
例えば、指針制御部２０２３は、通常時には、１秒ごとにステッピングモータ２０７を１ステップずつ駆動している。これに対して、指針制御部２０２３は、状態が電池切れである場合には、２秒毎にステッピングモータ２０７を２ステップ駆動する。また、指針制御部２０２３は、メンテナンス時期を告知する場合には、３０毎にステッピングモータ２０７を３０ステップ駆動する。このとき、秒針２０８２は、０〜２９秒の間は文字板２０８１の１２の位置に停止し、３０秒時に３０ステップ分駆動する。これにより、変則運針時においても、時刻遅れが生じる弊害を抑制できる。
【００４２】
具体的には、電圧検出部２０２１が、二次電池２０４の出力電圧を検出する。指針制御部２０２３は、電圧検出部２０２１の検出した電圧が所定値以下である場合には、電池切れと判定し、ステッピングモータ２０７を２秒毎に２ステップ駆動して秒針２０８２を２秒に１回動かす。
【００４３】
また、電子時計２０の耐久が低下すると、指針が動き難くなる。そのため、電子時計２０は、ステッピングモータ２０７を駆動するための負荷（パルス幅、パルスデューティ）が大きくなると、メンテナンス時期であると判定する。
【００４４】
例えば、ステッピングモータ２０８を駆動するためのモータ駆動パルスは、主駆動パルスＰ１と補正駆動パルスＰ２との２種類がある。主駆動パルスＰ１は例えば、Ｐ１１〜Ｐ１４（エネルギーの大小：Ｐ１１＜Ｐ１２＜Ｐ１３＜Ｐ１４）の４種類のエネルギーの異なるパルスがある。エネルギーの大小はパルス幅やパルスデューティの違いで実現する。回転検出部２０２２は、指針制御部２０２３がＰ１１でステッピングモータ２０７を駆動させたのち、ステッピングモータ２０７が駆動したか否かを判定する。指針制御部２０２３は、ステッピングモータ２０７が駆動していると回転検出部２０２２が判定した場合には、Ｐ１１によるステッピングモータ２０７の駆動を継続する。一方、指針制御部２０２３は、ステッピングモータ２０７が回転していないと回転検出部２０２２が判定した場合には、主駆動パルスＰ１よりエネルギーの大きな確実に回転できるパルスの補正駆動パルスＰ２でステッピングモータ２０７を駆動し、主駆動パルスのランクを１ランクＵＰしてＰ１２とする。指針制御部２０２３は、主駆動パルスがＰ１４で尚且つＰ２が継続して出力されていれば、メンテナンス時期と判定する。
【００４５】
具体的には、指針制御部２０２３は、メンテナンス時期と判定した場合には、ステッピングモータ２０７を３０秒毎に３０ステップ駆動して、秒針２０８２を３０秒間、固定位置（例えば、文字板２０８１の１２と６）に停止させる（３０秒に１回秒針２０８２を動かす）。
【００４６】
電子機器１０は、電子時計２０の表示部２０８を撮像し、撮像した画像（動画）を解析して電子時計２０の状態を判定する。そして、電子機器１０は、判定した状態を表示部１０５に表示する。具体的には、撮像部１０４は、表示部２０８を撮像する。解析部１０２１は、撮像部１０４が撮像した画像に基づいて秒針２０８２の動きを解析する。解析部１０２１は、秒針２０８２が１秒に１回動いている場合には、電子時計２０の状態が正常であると判定する。また、解析部１０２１は、秒針２０８２が２秒に１回動いている場合には、電子時計２０の状態が電池切れであると判定する。また、解析部１０２１は、秒針２０８２が３０秒毎に文字板２０８１の１２の位置と６の位置とに停止している場合には、電子時計２０の状態がメンテナンス時期であると判定する。
【００４７】
表示制御部１０２２は、解析部１０２１が解析した電子時計２０の状態を表示部１０５に表示する。図３は、本実施形態による電子機器１０の表示部１０５が表示する画面の一例を示す概略図である。表示制御部１０２２は、解析部１０２１が電子時計２０の状態を電池切れと判定した場合には、電子時計２０の状態が電池切れであることを示すメッセージ「時計の充電量が低下しています。充電してください。」を表示部１０５に表示する（図３（Ａ）参照）。また、表示制御部１０２２は、解析部１０２１が電子時計２０の状態をメンテナンス時期と判定した場合には、電子時計２０の状態がメンテナンス時期であることを示すメッセージ「メンテナンスが必要です」を表示部１０５に表示する（図３（Ｂ）参照）。なお、図示していないが、表示制御部１０２２は、解析部１０２１が電子時計２０の状態を正常と判定した場合には、電子時計２０の状態が正常であることを表示部１０５に表示するようにしてもよい。
【００４８】
次に、図４及び図５を参照して、通信システム１における状態表示方法について説明する。図４は、本実施形態における電子時計２０が実行する状態表示処理の処理手順を示したフローチャートである。電子時計２０は、本処理を常時実行している。
【００４９】
（ステップＳ１０１）制御回路２０２が、自装置の状態を検出し、告知内容を決定する。その後、ステップＳ１０２の処理に進む。
【００５０】
（ステップＳ１０２）指針制御部２０２３は、制御回路２０２が決定した告知内容に応じた秒針２０８２の動きを開始する。例えば、指針制御部２０２３は、告知内容が電池切れである場合には、秒針２０８２を２秒に１回動かす。また、指針制御部２０２３は、告知内容がメンテナンス時期である場合には、秒針２０８２を３０秒に１回、固定位置（文字板２０８１の１２と６）に停止させる。その後、処理を終了する。
【００５１】
図５は、本実施形態による電子機器１０が実行する状態表示処理の処理手順を示したフローチャートである。
（ステップＳ２０１）ユーザは、電子機器１０が電子時計２０の表示部２０８の画像を撮影できるように、電子機器１０と電子時計２０とを移動させる。制御部１０２は、撮像部１０４を制御し、電子時計２０の表示部２０８の画像を撮像する。その後、ステップＳ２０２の処理に進む。
【００５２】
（ステップＳ２０２）制御部１０２は、撮像部１０４が撮像した電子時計２０の表示部２０８の撮像画像から秒針２０８２を認識できたか否かを判定する。秒針２０８２を認識できたと制御部１０２が判定した場合には、ステップＳ２０３の処理に進む。また、秒針２０８２を認識できていないと制御部１０２が判定した場合には、ステップＳ２０２の処理を再度実行する。
【００５３】
（ステップＳ２０３）制御部１０２は、画像処理を行い、撮像部１０４が撮像した電子時計２０の表示部２０８の撮像画像に基づいて、電子時計２０の状態を決定する。例えば、解析部１０２１は、秒針２０８２が１秒に１回動いている場合には、電子時計２０の状態が正常であると判定する。また、解析部１０２１は、秒針２０８２が２秒に１回動いている場合には、電子時計２０の状態が電池切れであると判定する。また、解析部１０２１は、秒針２０８２が３０秒毎に固定位置に停止している場合には、電子時計２０の状態がメンテナンス時期であると判定する。例えば、解析部１０２１は、運針状態を動画で撮像し、予め記憶される期待値動画と比較することで、メンテナンス時期であると判定する。その後、ステップＳ２０４の処理に進む。
【００５４】
（ステップＳ２０４）制御部１０２は、決定した電子時計２０の状態を示すメッセージを表示部１０５に表示する。その後、処理を終了する。
【００５５】
なお、本実施形態では、電子時計２０は、秒針２０８２を２秒に１回動かすことにより電池切れを示し、秒針２０８２を固定位置に停止させることによりメンテナンス時期を示しているが、各状態を通知する秒針２０８２の動きはこれに限られず、状態を認識できるものであればよい。
【００５６】
上述したとおり、本実施形態では、電子時計２０は、自装置の状態を検出し、検出した状態を秒針２０８２により告知する。電子機器１０は、電子時計２０の表示部２０８を撮像し、撮像した画像に基づいて電子時計２０の状態を判定して表示する。これにより、状態を示す秒針２０８２の動きが複雑であっても、その告知内容を確実に電子機器１０に表示することが出来る。このため、使用者は、秒針２０８２の動きが何を示すかを認識していない場合であっても、所有する電子時計２０の状態を容易に把握することが出来る。このように、通常運針時における秒針２０８２と文字板２０８１の模様との判別が撮像によって困難な場合でも、通常運針との相違を判別可能な運針パターンを予め設定することで、秒針２０８２の挙動を認識し易くすることができる。
【００５７】
［第２の実施形態］
次に、本発明の第２の実施形態について説明する。本実施形態における通信システム１の構成は、図１に示す第１の実施形態と同様である。また、本実施形態における通信システム１の光通信方法は、図２に示す光通信方法と同様である。本実施形態と第１の実施形態とは、秒針２０８２による状態の通知方法が異なる。上述した第１の実施形態では、電子機器１０は、秒針２０８２の動きを解析するために、表示部２０８の動画像を撮像している。
【００５８】
本実施形態による電子時計２０の制御回路２０２は、電子機器１０から状態指示信号を受信すると、自装置の状態に応じて、秒針２０８２を所定時間固定位置に停止させる。状態指示信号は、秒針２０８２が電子時計２０の状態を告知（通知）するよう電子時計２０に対して指示するデータである。図６は、本実施形態による電子時計２０の表示部２０８における指針位置の一例を示す図である。例えば、図６（Ａ）に示すように、指針制御部２０２３は、電子機器１０の状態が電池残量５０％未満である場合には、文字板２０８１の１の位置を指すように秒針２０８２を停止させる。また、図６（Ｂ）に示すように、指針制御部２０２３は、電子機器１０の状態が電池残量５０％以上８０％未満である場合には、文字板２０８１の２の位置を指すように秒針２０８２を停止させる。また、図６（Ｃ）に示すように、指針制御部２０２３は、電子機器１０の状態が電池残量８０％以上である場合には、文字板２０８１の３の位置を指すように秒針２０８２を停止させる。また、図６（Ｄ）に示すように、指針制御部２０２３は、電子機器１０の状態がメンテナンス時期である場合には、文字板２０８１の６の位置を指すように秒針２０８２を停止させる。
【００５９】
本実施形態による電子機器１０の制御部１０２は、電子時計２０の表示部２０８を撮像する前に、光源１０３を制御して、状態指示信号を電子時計２０に送信する。制御部１０２は、状態指示信号を送信した後に、電子時計２０の表示部２０８を撮像部１０４に撮像させ、撮像部１０４が撮像した画像を解析して電子時計２０の状態を判定する。具体的には、解析部１０２１は、秒針２０８２が文字板２０８１の１を指している場合には、電子機器１０の状態が電池残量５０％未満であると判定する。また、解析部１０２１は、秒針２０８２が文字板２０８１の２を指している場合には、電子機器１０の状態が電池残量５０％以上８０％未満であると判定する。また、解析部１０２１は、秒針２０８２が文字板２０８１の３を指している場合には、電子機器１０の状態が電池残量８０％以上であると判定する。また、解析部１０２１は、秒針２０８２が文字板２０８１の６を指している場合には、電子機器１０の状態がメンテナンス時期であると判定する。電子機器１０及び電子時計２０の他の構成は第１の実施形態と同様であるため、説明を省略する。
【００６０】
次に、図７及び図８を参照して、本実施形態による通信システム１における状態表示方法について説明する。図７は、本実施形態による電子機器１０が実行する状態表示処理の処理手順を示したフローチャートである。
【００６１】
（ステップＳ３０１）制御部１０２は、光源１０３を制御し、状態指示信号を送信する。その後、ステップＳ３０２の処理に進む。
【００６２】
（ステップＳ３０２）ユーザは、電子機器１０が電子時計２０の表示部２０８の画像を撮影できるように、電子機器１０と電子時計２０とを移動させる。制御部１０２は、撮像部１０４を制御し、電子時計２０の表示部２０８の画像を撮像する。その後、ステップＳ３０３の処理に進む。
【００６３】
（ステップＳ３０３）制御部１０２は、撮像部１０４が撮像した電子時計２０の表示部２０８の撮像画像から秒針２０８２を認識できたか否かを判定する。秒針２０８２を認識できたと制御部１０２が判定した場合には、ステップＳ３０４の処理に進む。また、秒針２０８２を認識できていないと制御部１０２が判定した場合には、ステップＳ３０３の処理を再度実行する。
【００６４】
（ステップＳ３０４）制御部１０２は、画像処理を行い、撮像部１０４が撮像した電子時計２０の表示部２０８の撮像画像に基づいて、電子時計２０の状態を決定する。例えば、解析部１０２１は、秒針２０８２が文字板２０８１の１の位置を指している場合には、電子時計２０の状態が電池残量５０％未満であると判定する。また、解析部１０２１は、秒針２０８２が文字板２０８１の２の位置を指している場合には、電子時計２０の状態が電池残量５０％以上８０％未満であると判定する。また、解析部１０２１は、秒針２０８２が文字板２０８１の３の位置を指している場合には、電子時計２０の状態が電池残量８０％以上であると判定する。また、解析部１０２１は、秒針２０８２が文字板２０８１の６の位置を指している場合には、電子時計２０の状態がメンテナンス時期であると判定する。その後、ステップＳ３０５の処理に進む。
【００６５】
（ステップＳ３０５）制御部１０２は、決定した電子時計２０の状態を示すメッセージを表示部１０５に表示する。その後、処理を終了する。
【００６６】
図８は、本実施形態による電子時計２０が実行する状態表示処理の処理手順を示したフローチャートである。
【００６７】
（ステップＳ４０１）制御回路２０２は、スイッチ２０３を制御し、一定期間毎に通信期間と充電期間との移行を制御する。制御回路２０２は、通信期間中に、太陽電池２０１を介して状態指示信号を受信する。その後、ステップＳ４０２の処理に進む。
【００６８】
（ステップＳ４０２）制御回路２０２が、自装置の状態を検出し、告知内容を決定する。その後、ステップＳ４０３の処理に進む。
【００６９】
（ステップＳ４０３）制御回路２０２が、決定した告知内容に応じた秒針２０８２の動きを開始する。例えば、指針制御部２０２３は、電子機器１０の状態が電池残量５０％未満である場合には、文字板２０８１の１の位置を指すように秒針２０８２を停止させる。また、指針制御部２０２３は、電子機器１０の状態が電池残量５０％以上８０％未満である場合には、文字板２０８１の２の位置を指すように秒針２０８２を停止させる。また、指針制御部２０２３は、電子機器１０の状態が電池残量８０％以上である場合には、文字板２０８１の３の位置を指すように秒針２０８２を停止させる。また、指針制御部２０２３は、電子機器１０の状態がメンテナンス時期である場合には、文字板２０８１の６の位置を指すように秒針２０８２を停止させる。その後、処理を終了する。
【００７０】
上述したとおり、本実施形態では、電子時計２０は、状態指示信号を受信した後に、秒針２０８２を駆動して電子時計２０の状態を通知する。電子機器１０は、状態指示信号を送信した後に、電子時計２０の表示部２０８を撮像して電子時計２０の状態を解析し、解析した状態を表示する。これにより、第１の実施形態の効果に加えて、電子機器１０は、電子時計２０の状態を解析する際に、静止画像のみ撮像して解析すればよく、動画像を撮像して解析する必要がなくなるため、撮像を開始してから電子時計２０の状態を表示するまでの時間を短縮することができる。また、電子機器１０の処理負荷を軽減することができる。
【００７１】
［第３の実施形態］
次に、本発明の第３の実施形態について説明する。本実施形態における通信システム１の構成は、図１に示す第１の実施形態と同様である。また、本実施形態における通信システム１の光通信方法は、図２に示す光通信方法と同様である。本実施形態と第１の実施形態とは、秒針２０８２による状態の告知方法（仕様）を変更することができる点で異なる。
【００７２】
例えば、電池残量の告知方法として、図６に示すように文字板２０８１の１，２，３のうちいずれかを指すことにより電池残量を示しているものを、図９に示すように文字板２０８１の９，１０，１１のうちいずれかを指すことにより電池残量を示すように変更することができる。図９は、本実施形態による電子時計２０の表示部２０８における指針位置の一例を示す図である。この場合、文字板２０８１の９を指すように秒針２０８２を停止させることにより電池残量５０％未満を示し（図９（Ａ））、文字板２０８１の１０を指すように秒針２０８２を停止させることにより電池残量５０％以上８０％未満を示し（図９（Ｂ））、文字板２０８１の１１を指すように秒針２０８２を停止させることにより電池残量が８０％以上を示すように（図９（Ｃ））、運針の仕様を変更することができる。メンテナンス時期の告知方法についても同様に変更可能である。
【００７３】
また、例えば、ステッピングモータ２０７を駆動するためのパルス数の設定値を秒針２０８２により示す等、秒針２０８２により示す電子時計２０の状態を追加してもよい。
【００７４】
電子機器１０の入力部１０６は、秒針２０８２の変則運針仕様の入力を受け付ける。秒針２０８２の変則運針仕様は、通常運針とは異なる秒針２０８２による電子時計２０の状態の告知方法を示す仕様である。使用者は、入力部１０６を操作して、秒針２０８２の変則運針仕様を入力する。
【００７５】
制御部１０２は、入力部１０６からの入力信号に基づいて、秒針２０８２の変則運針仕様を決定する。また、制御部１０２は、光源１０３を制御して、決定した秒針２０８２の変則運針仕様を示す変則運針仕様信号（変則運針データ）を電子時計２０に送信する。
【００７６】
電子時計２０の制御回路２０２は、太陽電池２０１が変則運針仕様信号（変則運針データ）を受信すると、受信した変則運針仕様信号（変則運針データ）が示す秒針２０８２の変則運針仕様を記憶部２０９に書き込む。記憶部２０９は、秒針２０８２の変則運針仕様（変則運針データ）を記憶する。指針制御部２０２３は、記憶部２０９に記憶された秒針２０８２の変則運針仕様（変則運針データ）に基づいて、電子時計２０の状態に応じて秒針２０８２を駆動させる。電子機器１０及び電子時計２０の他の構成は第１の実施形態と同様であるため、説明を省略する。
【００７７】
次に、図１０及び図１１を参照して、本実施形態による通信システム１における変則運針仕様変更方法について説明する。図１０は、本実施形態による電子機器１０が実行する変則運針仕様変更処理の処理手順を示したフローチャートである。なお、本実施形態における状態表示処理は、第１の実施形態または第２の実施形態と同様である。
【００７８】
（ステップＳ５０１）制御部１０２は、入力部１０６からの入力信号に基づいて、秒針２０８２の変則運針仕様を決定する。その後、ステップＳ５０２の処理に進む。
【００７９】
（ステップＳ５０２）制御部１０２は、光源１０３を制御し、決定した秒針２０８２の変則運針仕様を示す変則運針仕様信号を送信する。その後、処理を終了する。
【００８０】
図１１は、本実施形態による電子時計２０が実行する変則運針仕様変更処理の処理手順を示したフローチャートである。
【００８１】
（ステップＳ６０１）制御回路２０２は、スイッチ２０３を制御し、一定期間毎に通信期間と充電期間との移行を制御する。制御回路２０２は、通信期間中に、太陽電池２０１を介して変則運針仕様信号を受信する。その後、ステップＳ６０２の処理に進む。
【００８２】
（ステップＳ６０２）制御回路２０２は、受信した変則運針仕様が示す秒針２０８２の変則運針仕様を記憶部２０９に書き込んで記憶する。その後、処理を終了する。
【００８３】
上述したとおり、本実施形態では、電子機器１０は、変則運針の仕様を決定し、決定した仕様を示す変則運針仕様信号（変則運針データ）を電子時計２０に送信する。電子時計２０は、変則運針仕様信号（変則運針データ）を受信すると、受信した変則運針仕様信号（変則運針データ）が示す変則運針の仕様を記憶する。そして、電子時計２０は、記憶した変則運針の仕様に基づいて、電子時計２０の状態を告知する。これにより、変則運針の仕様を容易に変更することができる。よって、例えば、文字板２０８１の模様と秒針２０８２とが一体化してしまい、秒針２０８２が認識し難い状況等があった場合であっても、変則運針の仕様を変更することにより、秒針２０８２を認識し易くすることができる。また、秒針２０８２により告知する電子時計２０の状態を新たに追加することができる。
【００８４】
なお、上述した実施形態における電子機器１０または電子時計２０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００８５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８６】
以上、本発明の実施形態について説明したが、本発明は、上記実施形態に限定されるものではなく、本発明の趣旨を逸脱しない範囲において種々の変更を加えることが可能である。
【００８７】
例えば、上述した実施形態では、電子時計２０は、秒針２０８２を用いて電子時計２０の状態を告知しているが、これに限らない。例えば、電子時計２０は、長針２０８３や、短針２０８４などを用いて電子時計２０の状態を告知するようにしてもよい。また、電子時計２０は、複数の指針（秒針２０８２や、長針２０８３や、短針２０８４など）の組み合わせで、電子時計２０の状態を告知するようにしてもよい。
【００８８】
また、上述した実施形態では、電子時計２０は、充電期間と光通信を行う通信期間とを所定の周期で繰り返しているが、これに限らず、二次電池２０４の充電状態に応じて、スイッチ２０３を制御して充電期間と通信期間とを切り替えてもよい。或いは、電子時計２０は、通信期間では、まず、低通信レートで同期信号を検出し、同期信号検出後、高通信レート（例えば低速通信レートの４倍）に切り替えて、スタート信号とデータ信号とを受信してもよい。これにより、電子機器１０及び電子時計２０の消費電力を低減することができる。
【００８９】
また、上述した実施形態では、電子機器１０は、電子時計２０の状態をメッセージで表示しているが、これに限らず、電子時計２０の状態を示す円グラフ等のビジュアル表示等を追加してもよい。
【００９０】
また、上述した実施形態では、電子時計２０は、電池切れとメンテナンス時期とを告知しているが、電子機器１０から告知する情報（電子時計２０の状態）を指定してもよい。この場合の動作例としては、はじめに、電子機器１０は、告知する情報を含む指示信号を電子時計２０に送信する。続いて、電子時計２０は、受信した指示信号に含まれる告知する情報を秒針２０８２により告知する。続いて、電子機器１０は、撮像画像に基づいて秒針２０８２の動きまたは位置を認識し、認識した結果に基づいて告知する情報を表示する。
【符号の説明】
【００９１】
１・・・通信システム、１０・・・電子機器、２０・・・電子時計、１０１・・・時刻データ取得部、１０２・・・制御部、１０３・・・光源、１０４・・・撮像部、１０５・・・表示部、１０６・・・入力部、２０１・・・太陽電池、２０２・・・制御回路、２０３・・・スイッチ、２０４・・・二次電池、２０５・・・ダイオード、２０６・・・基準信号生成回路、２０７・・・ステッピングモータ、２０８・・・表示部、２０９・・・記憶部、１０２１・・・解析部、１０２２・・・表示制御部、２０２１・・・電圧検出部、２０２２・・・回転検出部、２０２３・・・指針制御部、２０８１・・・文字板、２０８２・・・秒針、２０８３・・・長針、２０８４・・・短針、２０８５・・・日付部
【図１】
2016050892.tif 000003
【図２】
2016050892.tif 000004
【図３】
2016050892.tif 000005
【図４】
2016050892.tif 000006
【図５】
2016050892.tif 000007
【図６】
2016050892.tif 000008
【図７】
2016050892.tif 000009
【図８】
2016050892.tif 000010
【図９】
2016050892.tif 000011
【図１０】
2016050892.tif 000012
【図１１】
2016050892.tif 000013